(57)【要約】      （修正有）【課題】比較的安価に製造可能な箱用シートを提供する。【解決手段】箱用シートは、左右方向に交互に連接される一対の長さ面パネル１ａ、１ｂ及び一対の幅面パネル２ａ、２ｂと、一対の長さ面パネルの下縁から延出する一対の底外フラップ３ａ、３ｂと、一対の幅面パネルの下縁から延出する一対の底内フラップ４ａ、４ｂと、一対の長さ面パネルの上縁から延出する一対の蓋フラップ５ａ、５ｂとを備え、一対の幅面パネルの上縁から延出し、組立状態で幅面パネルの内面側に折り返される一対の折り返しパネル６ａ、６ｂをさらに備え、折り返しパネルが、幅面パネルに対して垂直に折り曲げられ、一対の蓋フラップに下方から当接する当接部１１と、当接部の先端縁から延出し、幅面パネルの内面側に折り返される折り返し部１２と、折り返し部の上縁から上方に突出する第１突片１３とを有しており、蓋フラップに、第１突片が差し込まれる第１係止孔１６が設けられる。【選択図】図１
0003229500.tif 000002
【実用新案登録請求の範囲】
【請求項１】
左右方向に交互に連接される一対の長さ面パネル及び一対の幅面パネルと、
上記一対の長さ面パネルの下縁から延出する一対の底外フラップと、
上記一対の幅面パネルの下縁から延出する一対の底内フラップと、
上記一対の長さ面パネルの上縁から延出する一対の蓋フラップと
を備え、箱体に組み立て可能な箱用シートであって、
上記一対の幅面パネルの上縁から延出し、組立状態で上記幅面パネルの内面側に折り返される一対の折り返しパネルをさらに備え、
上記折り返しパネルが、上記幅面パネルに対して垂直に折り曲げられ、上記一対の蓋フラップに下方から当接する当接部と、上記当接部の先端縁から延出し、上記幅面パネルの内面側に折り返される折り返し部と、折り返された状態における上記折り返し部の上縁から上方に突出する第１突片とを有しており、
上記蓋フラップに、上記第１突片が差し込まれる第１係止孔が設けられている箱用シート。
【請求項２】
上記折り返しパネルが、上記折り返し部の下縁から下方に突出する第２突片を有しており、
上記底内フラップに、上記第２突片が差し込まれる第２係止孔が設けられている請求項１に記載の箱用シート。
【請求項３】
上記底外フラップの側縁に上記第２係止孔と重なり合う切り欠きが設けられており、
複数の上記箱体が積み重ねられた状態で、
上記第２係止孔及び上記切り欠きが、下側に位置する上記箱体の上記第１突片を挿入可能に構成されている請求項２に記載の箱用シート。
【請求項４】
上記折り返しパネルが、上記折り返し部の下縁から延出し、上記底内フラップの上面に折り重ねられる底面部を有する請求項１、請求項２又は請求項３に記載の箱用シート。
【請求項５】
上記第１突片が、上記第１係止孔を貫通する基部と、折り曲げ容易線を介して上記基部の先端縁に連接される先端部とを有する請求項１から請求項４のいずれか１項に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に用いられている。中でも、比較的安価に製造可能な段ボールシートとして、左右方向に交互に連接される一対の長さ面パネル及び一対の幅面パネルと、上記長さ面パネル及び上記幅面パネルの上縁及び下縁からそれぞれ延出するフラップとを有し、Ａ式（ミカン箱タイプ）の箱体に組み立て可能な構成のものが広く採用されている。
【０００３】
一方で、従来、青果物等を保管、運搬等するための箱体としてトレイ状の箱体が用いられている。この箱体は、底板の各辺から延出するパネルを組み合わせて側壁及び端壁を形成することでトレイ状に組み立てられる（実用新案登録第３０９４４２７号公報参照）。
【先行技術文献】
【特許文献】
【０００４】
【特許文献１】実用新案登録第３０９４４２７号公報
【考案の概要】
【考案が解決しようとする課題】
【０００５】
しかしながら、上記公報に記載されているようなトレイ状の箱体は、製造コストが高くなりやすい。
【０００６】
本考案は、このような事情に基づいてなされたものであり、従来のトレイ状の箱体に代えて使用でき、かつ比較的安価に製造可能な箱用シートを提供することを目的とする。
【課題を解決するための手段】
【０００７】
上記課題を解決するためになされた本考案の一態様に係る箱用シートは、左右方向に交互に連接される一対の長さ面パネル及び一対の幅面パネルと、上記一対の長さ面パネルの下縁から延出する一対の底外フラップと、上記一対の幅面パネルの下縁から延出する一対の底内フラップと、上記一対の長さ面パネルの上縁から延出する一対の蓋フラップとを備え、箱体に組み立て可能な箱用シートであって、上記一対の幅面パネルの上縁から延出し、組立状態で上記幅面パネルの内面側に折り返される一対の折り返しパネルをさらに備え、上記折り返しパネルが、上記幅面パネルに対して垂直に折り曲げられ、上記一対の蓋フラップに下方から当接する当接部と、上記当接部の先端縁から延出し、上記幅面パネルの内面側に折り返される折り返し部と、折り返された状態における上記折り返し部の上縁から上方に突出する第１突片とを有しており、上記蓋フラップに、上記第１突片が差し込まれる第１係止孔が設けられている。
【考案の効果】
【０００８】
本考案の一態様に係る箱用シートは、従来のトレイ状の箱体に代えて使用でき、かつ比較的安価に製造可能である。
【図面の簡単な説明】
【０００９】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体の模式的底面図である。
【図４】図４は、図２の箱体の一方の蓋フラップを開いた状態を示す模式的斜視図である。
【図５】図５は、図２の箱体を２段積みにした状態を示す模式的斜視図である。
【図６】図６は、図１の箱用シートとは異なる実施形態に係る箱用シートを示す模式的平面図である。
【図７】図７は、図６の箱用シートを組み立ててなる箱体の模式的斜視図である。
【考案を実施するための形態】
【００１０】
［本考案の実施形態の説明］
最初に本考案の実施態様を列記して説明する。
【００１１】
本考案の一態様に係る箱用シートは、左右方向に交互に連接される一対の長さ面パネル及び一対の幅面パネルと、上記一対の長さ面パネルの下縁から延出する一対の底外フラップと、上記一対の幅面パネルの下縁から延出する一対の底内フラップと、上記一対の長さ面パネルの上縁から延出する一対の蓋フラップとを備え、箱体に組み立て可能な箱用シートであって、上記一対の幅面パネルの上縁から延出し、組立状態で上記幅面パネルの内面側に折り返される一対の折り返しパネルをさらに備え、上記折り返しパネルが、上記幅面パネルに対して垂直に折り曲げられ、上記一対の蓋フラップに下方から当接する当接部と、上記当接部の先端縁から延出し、上記幅面パネルの内面側に折り返される折り返し部と、折り返された状態における上記折り返し部の上縁から上方に突出する第１突片とを有しており、上記蓋フラップに、上記第１突片が差し込まれる第１係止孔が設けられている。
【００１２】
当該箱用シートは、上記一対の長さ面パネルの下縁から底外フラップが延出し、これらの長さ面パネルの上縁から蓋フラップが延出し、上記一対の幅面パネルの下縁から底内フラップが延出し、これらの幅面パネルの上縁から折り返しパネルが延出しており、例えばＡ式の箱用シートの製造設備を用いて比較的安価に製造可能である。当該箱用シートは、上記折り返し部の上縁から上方に突出する第１突片を、上記蓋フラップに設けられている第１係止孔に挿入することで、上記蓋フラップと上記折り返しパネルとを容易に係合することができる。当該箱用シートを組み立ててなる箱体は、蓋部の開閉が容易であり、従来のトレイ状の箱体に代えて使用可能である。
【００１３】
上記折り返しパネルが、上記折り返し部の下縁から下方に突出する第２突片を有しており、上記底内フラップに、上記第２突片が差し込まれる第２係止孔が設けられているとよい。このように、上記折り返しパネルが、上記折り返し部の下縁から下方に突出する第２突片を有しており、上記底内フラップに、上記第２突片が差し込まれる第２係止孔が設けられていることによって、箱体の形状を容易かつ安定的に維持することができる。
【００１４】
上記底外フラップの側縁に上記第２係止孔と重なり合う切り欠きが設けられており、複数の上記箱体が積み重ねられた状態で、上記第２係止孔及び上記切り欠きが、下側に位置する上記箱体の上記第１突片を挿入可能に構成されているとよい。このように、上記底外フラップの側縁に上記第２係止孔と重なり合う切り欠きが設けられており、複数の上記箱体が積み重ねられた状態で、上記第２係止孔及び上記切り欠きが、下側に位置する上記箱体の上記第１突片を挿入可能に構成されていることによって、上記複数の箱体を容易かつ安定的に段積みすることができる。
【００１５】
上記折り返しパネルが、上記折り返し部の下縁から延出し、上記底内フラップの上面に折り重ねられる底面部を有するとよい。このように、上記折り返しパネルが、上記折り返し部の下縁から延出し、上記底内フラップの上面に折り重ねられる底面部を有することによって、上記折り返しパネルの上記箱体内での姿勢が安定する。
【００１６】
上記第１突片が、上記第１係止孔を貫通する基部と、折り曲げ容易線を介して上記基部の先端縁に連接される先端部とを有するとよい。このように、上記第１突片が、上記第１係止孔を貫通する基部と、折り曲げ容易線を介して上記基部の先端縁に連接される先端部とを有することによって、上記第１係止孔に上記第１突片が挿入された状態をより安定的に保つことができる。
【００１７】
なお、本考案において、「左右方向」とは、箱用シートを組み立ててなる箱体において想定される一般的な使用態様における水平方向をいう。また、「上」とは、上記左右方向を基準とする上を意味し、「下」とは、上記左右方向を基準とする下を意味する。また、「内面」とは、箱用シートを組み立ててなる箱体における内側の面を意味する。
【００１８】
［本考案の実施形態の詳細］
以下、適宜図面を参照しつつ、本考案の実施の形態を詳説する。
【００１９】
［第一実施形態］
＜箱用シート＞
図１の箱用シート１０は、左右方向に交互に連接される一対の長さ面パネル１ａ、１ｂ及び一対の幅面パネル２ａ、２ｂと、一対の長さ面パネル１ａ、１ｂの下縁から延出する一対の底外フラップ３ａ、３ｂと、一対の幅面パネル２ａ、２ｂの下縁から延出する一対の底内フラップ４ａ、４ｂと、一対の長さ面パネル１ａ、１ｂの上縁から延出する一対の蓋フラップ５ａ、５ｂとを備える。当該箱用シート１０は、一対の幅面パネル２ａ、２ｂの上縁から延出し、組立状態で幅面パネル２ａ、２ｂの内面側に折り返される一対の折り返しパネル６ａ、６ｂを備える。また、当該箱用シート１０は、左右方向外側（図１では左右方向左側）に位置する長さ面パネル１ａの左右方向外側の側縁から延出する糊代７を備える。
【００２０】
折り返しパネル６ａ、６ｂは、幅面パネル２ａ、２ｂに対して垂直に折り曲げられ、一対の蓋フラップ５ａ、５ｂに下方から当接する当接部１１と、当接部１１の先端縁から延出し、幅面パネル２ａ、２ｂの内面側に折り返される折り返し部１２と、折り返された状態における折り返し部１２の上縁から上方に突出する第１突片１３とを有する。また、折り返しパネル６ａ、６ｂは、折り返し部１２の下縁から下方に突出する第２突片１４と、折り返し部１２の下縁から延出し、底内フラップ４ａ、４ｂの上面に折り重ねられる底面部１５とを有する。蓋フラップ５ａ、５ｂには、第１突片１３が差し込まれる第１係止孔１６が設けられている。なお、図１において、太い実線はシートを切断して形成される切断線を示し、細い実線はシートの片面を筋押しして形成される罫線を示す。
【００２１】
当該箱用シート１０は、図２及び図３の箱体２０に組み立て可能である。当該箱用シート１０を箱体２０に組み立てる手順について説明する。まず、左右方向外側（図１では左右方向左側）に位置する長さ面パネル１ａをこの長さ面パネル１ａに連接される幅面パネル２ａの内面に折り重ね、左右方向外側（図１では左右方向右側）に位置する幅面パネル２ｂをこの幅面パネル２ｂに連接される長さ面パネル１ｂの内面に折り重ね、糊代７を折り重ねられた幅面パネル２ｂの内面に貼着する。続いて、無端状に接続された一対の長さ面パネル１ａ、１ｂ及び一対の幅面パネル２ａ、２ｂを四角筒状に広げたうえ、一対の底内フラップ４ａ、４ｂを内側に折り曲げ、さらに一対の底外フラップ３ａ、３ｂを内側に折り曲げて互いに係合させることで箱体２０の底部を組み立てる。次に、一対の折り返しパネル６ａ、６ｂの当接部１１を幅面パネル２ａ、２ｂの内側に垂直に折り曲げ、当接部１１に連接されている折り返し部１２を幅面パネル２ａ、２ｂの内面側に折り返し、折り返し部１２の下縁から延出する第２突片１４を底内フラップ４ａ、４ｂに設けられている後述の第２係止孔２３に挿入する。この際、一対の折り返しパネル６ａ、６ｂの底面部１５を折り曲げて底内フラップ４ａ、４ｂの上面に折り重ねる。この状態で箱体２０の内部に物品（例えば青果物等）を入れ、その後、図４に示すように、一対の蓋フラップ５ａ、５ｂを内側に折り曲げて、第１突片１３を第１係止孔１６に挿入して箱体２０の蓋部を組み立てる。これにより、図２及び図３に示す箱体２０が組み立てられる。
【００２２】
当該箱用シート１０は、１枚のシーから形成されている。当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。当該箱用シート１０が段ボールシートである場合、上記中芯の稜線方向は上下方向と平行であることが好ましい。この構成によると、折り返しパネル６ａ、６ｂを所望の位置で容易かつ確実に折り曲げやすい。また、第１突片１３及び第２突片１４の意図しない折れ曲がりを抑制することで、第１突片１３と第１係止孔１６との係合状態、及び第２突片１４と第２係止孔２３との係合状態を安定的に維持することができる。
【００２３】
（長さ面パネル）
一対の長さ面パネル１ａ、１ｂは矩形状かつ略同一形状に形成されている。長さ面パネル１ａ、１ｂの左右方向長さは幅面パネル２ａ、２ｂの左右方向長さよりも大きい。
【００２４】
長さ面パネル１ａ、１ｂの左右方向長さとしては、箱体２０に収容する物品の大きさや数量等に基づいて適宜設定可能であるが、例えば３０ｃｍ以上６０ｃｍ以下とすることができる。長さ面パネル１ａ、１ｂの上下方向長さとしては、箱体２０に収容する物品の大きさや数量等に基づいて適宜設定可能であるが、例えば５ｃｍ以上３０ｃｍ以下とすることができる。
【００２５】
（幅面パネル）
一対の幅面パネル２ａ、２ｂは矩形状かつ略同一形状に形成されている。幅面パネル２ａ、２ｂの左右方向長さとしては、箱体２０に収容する物品の大きさや数量等に基づいて適宜設定可能であるが、例えば２０ｃｍ以上５０ｃｍ以下とすることができる。幅面パネル２ａ、２ｂの上下方向長さとしては、長さ面パネル１ａ、１ｂの上下方向長さと同じとすることができる。
【００２６】
幅面パネル２ａ、２ｂの下部には、第２係止孔２３の一部を構成する切り欠きが形成されている。当該箱用シート１０は、第２係止孔２３が、幅面パネル２ａ、２ｂに亘って形成されていることで、箱体２０の通気性を高めることができる。
【００２７】
幅面パネル２ａ、２ｂの上部には、折り返しパネル６ａ、６ｂに至る切り欠き１７が形成されている。図５に示すように、この切り欠き１７は、複数の箱体２０を段積みした状態で箱体２０の内外に連通する通気孔として機能する。
【００２８】
（底外フラップ）
一方の長さ面パネル１ａの下縁から延出する底外フラップ３ａ（以下、「第１底外フラップ３ａ」ともいう）は略矩形状である。図３に示すように、第１底外フラップ３ａの側縁には、組立状態で第２係止孔２３と重なり合う切り欠き１８が設けられている。切り欠き１８は、複数の箱体２０が積み重ねられた状態で、下側に位置する箱体２０の第１突片１３を挿入可能に構成されている。
【００２９】
第１底外フラップ３ａの先端縁には凹部１９が形成されている。また、第１底外フラップ３ａの幅方向の両側には、基端側から先端側に向けて幅方向の内側に傾斜して延びる折り曲げ容易線２１が形成されている。折り曲げ容易線２１は直線状である。
【００３０】
他方の長さ面パネル１ｂの下縁から延出する底外フラップ３ｂ（以下、「第２底外フラップ３ｂ」ともいう）は、略矩形状の本体２２ａと、本体２２ａの先端縁から延出する突片２２ｂとを有する。
【００３１】
第２底外フラップ３ｂの側縁には、第１底外フラップ３ａと同様、組立状態で第２係止孔２３と重なり合う切り欠き１８が設けられている。第２底外フラップ３ｂ（より詳しくは本体２２ａ）の幅方向の両側には、基端側から先端側に向けて幅方向の内側に傾斜して延びる折り曲げ容易線２１が形成されている。折り曲げ容易線２１は直線状である。
【００３２】
第１底外フラップ３ａと第２底外フラップ３ｂとの係合手順について説明する。第１底外フラップ３ａと第２底外フラップ３ｂとを係合するに当たっては、まず、第１底外フラップ３ａを内側に略垂直に折り曲げ、さらに第２底外フラップ３ｂを第１底外フラップ３ａの外面側に折り重ねる。そして、第２底外フラップ３ｂを第１底外フラップ３ａの外面に押し当てた状態で押し込んでいく。この際、第１底外フラップ３ａに設けられた一対の折り曲げ容易線２１及び第２底外フラップ３ｂに設けられた一対の折り曲げ容易線２１が適度に折れ曲がることで第２底外フラップ３ｂを容易に押し込むことができる。第２底外フラップ３ｂの突片２２ｂの先端縁が第１底外フラップ３ａの凹部１９を通過するまで押し込んだ後、第２底外フラップ３ｂの押し込みを解除する。これによってシートの反力により第１底外フラップ３ａ及び第２底外フラップ３ｂが押し戻され、この過程で突片２２ｂが凹部１９の内側に入り込む。その結果、第１底外フラップ３ａと第２底外フラップ３ｂとが互いに係合される。
【００３３】
（底内フラップ）
一対の底内フラップ４ａ、４ｂは略同一形状に形成されている。底内フラップ４ａ、４ｂは略矩形状である。一対の底内フラップ４ａ、４ｂは、箱体２０に組み立てられた状態で、一対の底外フラップ３ａ、３ｂの内側に配置される。
【００３４】
底内フラップ４ａ、４ｂには、折り返し部１２の下縁から延出する第２突片１４が差し込まれる第２係止孔２３が設けられている。当該箱用シート１０は、折り返し部１２の下縁から第２突片１４が延出しており、かつ底内フラップ４ａ、４ｂに第２突片１４が差し込まれる第２係止孔２３が設けられていることで、箱体２０の形状を容易かつ安定的に維持することができる。
【００３５】
第２係止孔２３は、複数の箱体２０が積み重ねられた状態で、底外フラップ３ａ、３ｂに設けられている切り欠き１８と共に、下側に位置する箱体２０の第１突片１３を挿入可能に構成されている。当該箱用シート１０は、第２係止孔２３及び切り欠き１８が、第１突片１３を挿入可能に構成されていることで、複数の箱体２０を容易かつ安定的に段積みすることができる。
【００３６】
上述のように、第２係止孔２３は、底内フラップ４ａ、４ｂと幅面パネル２ａ、２ｂとに跨って形成されている。すなわち、第２係止孔２３は、底内フラップ４ａ、４ｂの基端部から幅面パネル２ａ、２ｂの下部に亘って形成されている。これにより、第２係止孔２３は、第１突片１３及び第２突片１４との係合部を構成すると共に、箱体２０の通気性を高めるための通気孔として機能しやすい。
【００３７】
（蓋フラップ）
一対の蓋フラップ５ａ、５ｂは矩形状かつ略同一形状に形成されている。蓋フラップ５ａ、５ｂの延出方向長さとしては、特に限定されるものではないが、幅面パネル２ａ、２ｂの左右方向長さの１／２よりも小さいことが好ましい。すなわち、箱体２０に組み立てられた状態で、一対の蓋フラップ５ａ、５ｂの先端縁同士の間には隙間が形成されることが好ましい。当該箱用シート１０は、第１突片１３を第１係止孔１６に挿入することで第１突片１３が第１係止孔１６に係止されるので、一対の蓋フラップ５ａ、５ｂ同士を封函テープ等によって接続することを要しない。箱体２０は、一対の蓋フラップ５ａ、５ｂの先端縁同士の間に隙間が形成されることで、通気性を高めることができ、ひいては従来のトレイ状の箱体に代えて、青果物等を保存しやすい。
【００３８】
第１係止孔１６は、蓋フラップ５ａ、５ｂの幅方向の両側の側部に設けられている。第１係止孔１６は、蓋フラップ５ａ、５ｂの延出方向を長手方向とする細長状である。第１係止孔１６の長手方向の端部にはスリット状の縮幅部が形成されていることが好ましい。第１係止孔１６に上記縮幅部が形成されていることで、この縮幅部によって第１突片１３を両側から押圧し、第１突片１３の挿入状態を安定的に保ちやすい。
【００３９】
（折り返しパネル）
一対の折り返しパネル６ａ、６ｂは略同一形状に形成されている。折り返しパネル６ａ、６ｂは、幅面パネル２ａ、２ｂの上縁から延出する当接部１１と、当接部１１の先端縁から延出する折り返し部１２と、折り返し部１２の先端縁から延出する底面部１５とを有する。折り返し部１２の上縁（当接部１１と接続される側の端縁）からは第１突片１３が突出し、折り返し部１２の下縁（底面部１５と接続される側の端縁）からは第２突片１４が突出している。第１突片１３は、折り返し部１２の上縁に両端が配置され、当接部１１側に凸な略Ｕ字状のスリットによって画定されている。このスリットは、幅面パネル２ａ、２ｂ内まで至っていてもよい。第２突片１４は、折り返し部１２の下縁に両端が配置され、底面部１５側に凸な略Ｕ字状のスリットによって画定されている。折り返し部１２と第１突片１３との境界部分、及び折り返し部１２と第２突片１４との境界部分には折り曲げ容易線は設けられていない。なお、「略Ｕ字状」とは、両端部間の領域が両端部同士を通る仮想直線に対して一方側に突出している形状を意味する。
【００４０】
当接部１１の延出方向長さ（すなわち、組立状態の平面視における第１突片１３と幅面パネル２ａ、２ｂとの間隔）の下限としては、７ｍｍが好ましく、１２ｍｍがより好ましい。一方、上記延出方向長さの上限としては、２５ｍｍが好ましく、２０ｍｍがより好ましい。図３に示すように、箱体２０は、第２突片１４が幅面パネル２ａ、２ｂ側に位置するように折り返し部１２を若干程度傾斜させた状態で保持できる。複数の箱体２０を段積みする際には、この状態で、底外フラップ３ａ、３ｂに形成される切り欠き１８に下側に配置される箱体２０の第１突片１３を挿入することで、箱体２０同士を容易かつ安定的に維持することができる。この点において、上記延出方向長さが上記上限を超えると、折り返し部１２の傾斜角度が大きくなり、箱体２０の形状が不安定になるおそれがある。逆に、上記延出方向長さが上記下限に満たないと、第１突片１３を挿入するための第１係止孔１６を蓋フラップ５ａ、５ｂに形成し難くなるおそれがある。
【００４１】
折り返し部１２は略矩形状である。折り返し部１２の延出方向長さは、幅面パネル２ａ、２ｂの上下方向長さと略等しい。具体的には、折り返し部１２の延出方向長さとしては、幅面パネル２ａ、２ｂの上下方向長さからシート１枚分の厚さを差し引いた程度の長さとすることができる。
【００４２】
底面部１５は、箱体２０に組み立てられた状態で底内フラップ４ａ、４ｂの上面に折り重ねられる。箱体２０に組み立てられた状態で、底面部１５は、シートの反力によって底内フラップ４ａ、４ｂ側に押圧される。これにより、当該箱用シート１０は、箱体２０における折り返し部１２の姿勢の安定化を図ることができ、箱体２０の形状を安定的に維持することができる。
【００４３】
第１突片１３は、基端側（折り返し部１２と接続される側）から先端側に向けて拡幅している。第１突片１３の先端部の幅は、第１係止孔１６の長手方向長さ（第１係止孔１６の端部に形成されるスリットを含む全体の長さ）と略等しい。
【００４４】
第１突片１３の延出方向長さとしては、その先端部分が第１係止孔１６から上方に突出するようシート厚さよりも大きい。第１突片１３の延出方向長さとしては、例えば１０ｍｍ以上３０ｍｍ以下とすることができる。
【００４５】
第２突片１４は、箱体２０において底内フラップ４ａ、４ｂに設けられる第２係止孔２３に挿入するように構成されており、好ましくは第２係止孔２３を通過して、底外フラップ３ａ、３ｂに設けられる切り欠き１８にまで挿入されるように構成されている。第２突片１４の延出方向長さとしては、シート２枚分の厚さ程度とすることができ、例えばシート厚さが５ｍｍの場合であれば、８ｍｍ以上１２ｍｍ以下とすることができる。
【００４６】
折り返しパネル６ａ、６ｂには、幅面パネル２ａ、２ｂに形成される切り欠き１７に接続される切り欠き２４が形成されている。図５に示すように、この切り欠き２７は、幅面パネル２ａ、２ｂに形成されている切り欠き１７と合わせて、複数の箱体２０を段積みした状態で箱体２０の内外に連通する通気孔として機能する。
【００４７】
＜利点＞
当該箱用シート１０は、一対の長さ面パネル１ａ、１ｂの下縁から底外フラップ３ａ、３ｂが延出し、これらの長さ面パネル１ａ、１ｂの上縁から蓋フラップ５ａ、５ｂが延出し、一対の幅面パネル２ａ、２ｂの下縁から底内フラップ４ａ、４ｂが延出し、これらの幅面パネル２ａ、２ｂの上縁から折り返しパネル６ａ、６ｂが延出しており、例えばＡ式の箱用シートの製造設備を用いて比較的安価に製造可能である。当該箱用シート１０は、折り返し部１２の上縁から上方に突出する第１突片１３を、蓋フラップ５ａ、５ｂに設けられている第１係止孔１６に挿入することで、蓋フラップ５ａ、５ｂと折り返しパネル６ａ、６ｂとを容易に係合することができる。当該箱用シート１０を組み立ててなる箱体２０は、蓋部の開閉が容易であり、従来のトレイ状の箱体に代えて使用可能である。
【００４８】
［第二実施形態］
＜箱用シート＞
図６の箱用シート３０は、左右方向に交互に連接される一対の長さ面パネル３１ａ、３１ｂ及び一対の幅面パネル３２ａ、３２ｂと、一対の長さ面パネル３１ａ、３１ｂの下縁から延出する一対の底外フラップ３３ａ、３３ｂと、一対の幅面パネル３２ａ、３２ｂの下縁から延出する一対の底内フラップ３４ａ、３４ｂと、一対の長さ面パネル３１ａ、３１ｂの上縁から延出する一対の蓋フラップ３５ａ、３５ｂとを備える。当該箱用シート３０は、一対の幅面パネル３２ａ、３２ｂの上縁から延出し、組立状態で幅面パネル３２ａ、３２ｂの内面側に折り返される一対の折り返しパネル３６ａ、３６ｂを備える。また、当該箱用シート３０は、左右方向外側（図６では左右方向右側）に位置する長さ面パネル３１ａの左右方向外側の側縁から延出する糊代３７を備える。さらに、当該箱用シート３０は、長さ面パネル３１ａ、３１ｂと蓋フラップ３５ａ、３５ｂとの境界部分を含む領域に通気孔３９が形成されている。
【００４９】
折り返しパネル３６ａ、３６ｂは、幅面パネル３２ａ、３２ｂに対して垂直に折り曲げられ、一対の蓋フラップ３５ａ、３５ｂに下方から当接する当接部４１と、当接部４１の先端縁から延出し、幅面パネル３２ａ、３２ｂの内面側に折り返される折り返し部４２と、折り返された状態における折り返し部４２の上縁から上方に突出する第１突片４３とを有する。また、折り返しパネル３６ａ、３６ｂは、折り返し部４２の下縁から下方に突出する第２突片４４と、折り返し部４２の下縁から延出し、底内フラップ３４ａ、３４ｂの上面に折り重ねられる底面部４５とを有する。
【００５０】
蓋フラップ３５ａ、３５ｂには、第１突片４３が差し込まれる第１係止孔４６が設けられている。第１突片４３は、第１係止孔４６を貫通する基部４３ａと、折り曲げ容易線４３ｂを介して基部４３ａの先端縁に連接される先端部４３ｃとを有する。なお、図６において、太い実線はシートを切断して形成される切断線を示し、細い実線はシートの片面を筋押しして形成される罫線を示す。
【００５１】
当該箱用シート３０は、図７の箱体４０に組み立て可能である。当該箱用シート３０は、長さ面パネル３１ａ、３１ｂと蓋フラップ３５ａ、３５ｂとの境界部分を含む領域に通気孔３９が形成されていること、及び第１突片４３が基部４３ａ及び先端部４３ｃを有すること以外、図１の箱用シート１０と概略同じ形状とすることができる。そのため、以下では通気孔３９及び第１突片４３についてのみ説明する。
【００５２】
（通気孔）
通気孔３９は、箱体２０の内外に連通するよう構成されている。通気孔３９は、例えば長さ面パネル３１ａ、３１ｂの左右方向を長手方向とする長円状である。
【００５３】
（第１突片）
基部４３ａは、図１の第１突片１３と同じ形状とすることができる。先端部４３ｃは、例えば図７に示すように、基部４３ａに折り重ねられて、基部４３ａと共に第１係止孔４６に差し込まれる。先端部４３ｃの基部４３ａと重なり合う部分の外形は、基部４３ａに折り重ねられた状態で、基部４３ａ外形と一致していることが好ましい。また、先端部４３ｃの延出方向長さは、基部４３ａの延出方向長さ以上であることが好ましい。
【００５４】
＜利点＞
当該箱用シート３０は、第１突片４３が、基部４３ａ及び先端部４３ｃを有するので、第１係止孔４６に第１突片４３が挿入された状態をより安定的に保つことができる。すなわち、先端部４３ｃが基部４３ａに折り重ねた状態で第１係止孔４６に挿入されることで、シートの反力によって第１突片４３と第１係止孔４６との係合がより確実となる。これにより、第１突片４３の第１係止孔４６からの意図しない抜けをより確実に抑制でき、第１係止孔４６に第１突片４３が挿入された状態をより安定的に保つことができる。
【００５５】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５６】
例えば上記折り返しパネルは、折り返し部の下縁から下方に突出する第２突片を有しなくてもよい。この場合、当該箱用シートは、例えば折り返し部の下縁から延出する底面部と底内フラップとが接続されるように構成されてもよい。
【００５７】
上記底外フラップの側縁には、第２係止孔と重なり合う切り欠きが設けられていなくてもよい。当該箱用シートは、例えば上記第２突片の延出方向長さを調整することで、底外フラップに上記切り欠きが設けられていない場合でも、箱体内における折り返し部の姿勢を安定させることができる。
【００５８】
上記折り返しパネルは、上記折り返し部の下縁から延出する底面部を有していなくてもよい。当該箱用シートは、上記底面部を有しない場合でも、上記第２突片を上記第２係止孔に挿入することで、箱体内における折り返し部の姿勢を安定させることができる。
【００５９】
箱体の底部を形成するための具体的な構成は特に限定されるものではない。当該箱用シートは、例えば一対の底外フラップの先端縁同士の合わせ目に封函テープを貼着することで底部が形成されるものであってもよい。
【産業上の利用可能性】
【００６０】
以上のように、本考案の一態様に係る箱用シートは、青果物等を収容するのに適している。
【符号の説明】
【００６１】
１ａ、１ｂ、３１ａ、３１ｂ  長さ面パネル
２ａ、２ｂ、３２ａ、３２ｂ  幅面パネル
３ａ、３ｂ、３３ａ、３３ｂ  底外フラップ
４ａ、４ｂ、３４ａ、３４ｂ  底内フラップ
５ａ、５ｂ、３５ａ、３５ｂ  蓋フラップ
６ａ、６ｂ、３６ａ、３６ｂ  折り返しパネル
７、３７  糊代
１０、３０  箱用シート
１１、４１  当接部
１２、４２  折り返し部
１３、４３  第１突片
１４、４４  第２突片
１５、４５  底面部
１６、４６  第１係止孔
１７  切り欠き
１８  切り欠き
１９  凹部
２０、４０  箱体
２１  折り曲げ容易線
２２ａ  本体
２２ｂ  突片
２３  第２係止孔
２４  切り欠き
３９  通気孔
４３ａ  基部
４３ｂ  折り曲げ容易線
４３ｃ  先端部
【図１】
0003229500.tif 000003
【図２】
0003229500.tif 000004
【図３】
0003229500.tif 000005
【図４】
0003229500.tif 000006
【図５】
0003229500.tif 000007
【図６】
0003229500.tif 000008
【図７】
0003229500.tif 000009